(57)【要約】      （修正有）【課題】必要な本体内部冷却性能を確保し、加熱調理器の意匠性を損なうことがない加熱調理器を提供する。【解決手段】本体と、トッププレート３及び該トッププレートの外周後部に設けられた後部枠体４ａを有する天板部と、加熱手段と、回路基板と、加熱手段と回路基板を冷却するための風を送風する送風手段と、後部枠体に設けられた開口部と、開口部を覆うカバーとを備え、後部枠体は、上下方向において天板部の最も高い位置にある第１の面４ａａと、第１の面よりも低い位置にある第２の面４ａｃを有し、少なくとも第２の面の前方と後方に第１の面が設けられており、開口部は第２の面に設けられ、カバーは、開口部を覆い、カバー前端は、第２の面前方に設けられた第１の面の上方から後方かつ上方に向かって延び、カバー後端は、第２の面後方に設けられた第１の面と重ならない位置まで延びている。【選択図】図８
2018018692.tif 000002
【特許請求の範囲】
【請求項１】
上部が開口する箱状の本体と、
前記本体の上部開口を覆い、被加熱物を載置可能な載置面を有するトッププレート及び該トッププレートの外周の少なくとも後部に設けられた後部枠体を有する天板部と、
前記天板部の下方に設けられた加熱手段と、
前記本体内に設けられ、前記加熱手段に電力を供給する回路基板と、
前記本体内に設けられ、少なくとも前記加熱手段と前記回路基板を冷却するための風を送風する送風手段と、
冷却に使われた前記風を排気する、あるいは冷却に使われる前記風を吸気するための前記後部枠体に設けられた開口部と、
該開口部を覆う、通気用の穴が設けられていないカバーと、を備え、
前記後部枠体は、上下方向において前記天板部の最も高い位置にある第１の面と、前記第１の面よりも低い位置にある第２の面を有し、少なくとも前記第２の面の前方と後方に前記第１の面が設けられており、
前記開口部は前記第２の面に設けられ、
前記カバーは、前記開口部を覆い、
前記カバーの前端は、前記第２の面の前方に設けられた前記第１の面の上方から後方かつ上方に向かって延び、
前記カバーの後端は、前記第２の面の後方に設けられた前記第１の面と重ならない位置まで延びている加熱調理器。
【請求項２】
前記カバーは金属で形成されている請求項１に記載の加熱調理器。
【請求項３】
前記カバーは金属で形成された表面板と、該表面板を保持する、ゴムあるいは樹脂で形成された保持部材とで構成されている請求項１に記載の加熱調理器。
【請求項４】
前記カバーは、前記後部枠体に設けられた支持体に着脱可能に支持される請求項１〜請求項３何れか１項に記載の加熱調理器。
【請求項５】
前記支持体は前記第２の面に設けられ、少なくとも前記後部枠体の左右方向である長手方向の中央及び左右の端部寄りに設けられている請求項４に記載の加熱調理器。
【請求項６】
前記支持体の内、前記後部枠体の左右方向である長手方向の左右の端部寄りに設けられた左端部支持体及び右端部支持体は、前記後部枠体の前後方向である短手方向に延びて形成されている壁部を備える請求項５に記載の加熱調理器。
【請求項７】
前記支持体の内、前記後部枠体の左右方向である長手方向の左右の端部寄りに設けられた左端部支持体及び右端部支持体において、
前記左端部支持体は前記後部枠体の左方向である長手方向の左端部方向に向かって開口する左端部支持体開口部を、
前記右端部支持体は前記後部枠体の右方向である長手方向の右端部方向に向かって開口する右端部支持体開口部を、
それぞれ備える請求項５に記載の加熱調理器。
【請求項８】
前記後部枠体の左右方向である長手方向の中央には、
前記開口部の内、前記後部枠体の中央から左側に設けられた左側開口部と、右側に設けられた右側開口部との間を仕切る仕切り板が、前記中央の支持体と一体、あるいは別体で前記後部枠体の前後方向である短手方向に延びて形成されている請求項５〜請求項７何れか１項に記載の加熱調理器。
【請求項９】
上下方向において、前記第１の面は前記トッププレートの前記載置面よりも高く、前記第２の面は前記トッププレートの前記載置面よりも低い位置にある請求項１〜請求項８何れか１項に記載の加熱調理器。
【請求項１０】
前記後部枠体の前記トッププレートと前記開口部との間で、前記第２の面、あるいは前記第２の面の前方に設けられた前記第１の面から上方に突出する、少なくとも前記開口部の長手方向の長さよりも長い突起状部材を備える請求項１〜請求項９何れか１項に記載の加熱調理器。
【請求項１１】
前記後部枠体の、前記開口部の外周を囲むように上方に突出する突起状部材を備える請求項１〜請求項９何れか１項に記載の加熱調理器。
【請求項１２】
前記天板部の下方に設けられた加熱手段の下方に、調理容器、あるいは調理器具、あるいはその両方が収納可能な収納庫を備える請求項１〜請求項１１何れか１項に記載の加熱調理器。
【発明の詳細な説明】
【技術分野】
【０００１】
本発明は、排気、あるいは吸気のための開口と開口を覆うカバーを備える加熱調理器に関する。
【背景技術】
【０００２】
従来、排気、あるいは吸気のための開口を天板の後方に設け、その開口を覆うカバーを備えた加熱調理器が提案されている（例えば、特許文献１、特許文献２参照）。
【先行技術文献】
【特許文献】
【０００３】
【特許文献１】特許第５４８８６６１号公報（請求項１、図１）
【特許文献２】特許第４４６２７７８号公報（請求項１、図５）
【発明の概要】
【発明が解決しようとする課題】
【０００４】
特許文献１に記載の加熱調理器は、排気、あるいは吸気のための開口を覆うカバーがほぼ平坦な形状をしているため、天板上に載置された調理容器を加熱部からずらして置きたいときにカバー上に置きやすい。
【０００５】
そのため、調理容器をカバー上に置いたまま、他の調理容器で調理を行われてしまうことがあり、その場合は排気、あるいは吸気のための開口上に調理容器があることで、排気、あるいは吸気の効率が低下し、加熱性能の低下や加熱調理器の故障が生ずるおそれがある。
【０００６】
特許文献２に記載の誘導加熱調理器は、カバーの後壁に補助通気孔が設けられているが、あくまでも補助通気孔であるので、調理容器をカバー上に置かれた状態で、他の調理容器で調理を行われてしまうと、特許文献１に記載の加熱調理器と同様、排気、あるいは吸気の効率が低下し、加熱性能の低下や加熱調理器の故障が生ずるおそれがある、という課題がある。
【０００７】
また、特許文献１に記載の加熱調理器は、カバーが加熱調理器の長手（左右）方向に延びたスノコ形状をしている。特許文献２に記載の加熱調理器は、カバーに複数の通気孔が開口した形態をしている。これらカバーの形状や形態は、平坦ですっきりとした天板の意匠との調和が図りにくく、加熱調理器の意匠性を損なう要因となっている、という課題がある。
【０００８】
この発明は、これらの課題を解決するためになされたもので、カバー上に調理容器を置かれても必要な本体内部冷却性能を確保し、加熱調理器の意匠性を損なうことがない加熱調理器を提供することを目的とする。
【課題を解決するための手段】
【０００９】
本発明の加熱調理器は、上部が開口する箱状の本体と、本体の上部開口を覆い、被加熱物を載置可能な載置面を有するトッププレート及び該トッププレートの外周の少なくとも後部に設けられた後部枠体を有する天板部と、天板部の下方に設けられた加熱手段と、本体内に設けられ、加熱手段に電力を供給する回路基板と、本体内に設けられ、少なくとも加熱手段と回路基板を冷却するための風を送風する送風手段と、冷却に使われた風を排出する、あるいは冷却に使われる風を吸引するための後部枠体に設けられた開口部と、開口部を覆う、通気用の穴が設けられていないカバーと、を備え、後部枠体は、上下方向において天板部の最も高い位置にある第１の面と、第１の面よりも低い位置にある第２の面を有し、少なくとも第２の面の前方と後方に第１の面が設けられており、開口部は第２の面に設けられ、カバーは、開口部を覆い、カバーの前端は、第２の面の前方に設けられた第１の面の上方から後方かつ上方に向かって延び、カバーの後端は、第２の面の後方に設けられた第１の面と重ならない位置まで延びているものである。
【発明の効果】
【００１０】
本発明によれば、開口部を覆う、通気用の穴が設けられていないカバーを備え、後部枠体は、上下方向においてトッププレートの載置面よりも高い位置にある第１の面と、トッププレートの載置面よりも低い位置にある第２の面を有し、少なくとも第２の面の前方と後方に第１の面が設けられており、開口部は第２の面に設けられ、カバーは、開口部を覆い、カバーの前端は、第２の面の前方に設けられた第１の面の上方から後方かつ上方に向かって延び、カバーの後端は、第２の面の後方に設けられた第１の面と重ならない位置まで延びているようにしたので、加熱調理器の意匠性を損なうことなく、カバー上に調理容器を置かれても必要な本体内部を冷却するための風を確保できる。
【図面の簡単な説明】
【００１１】
【図１】本発明の実施の形態１に係る加熱調理器の外観斜視図である。
【図２】本発明の実施の形態１に係る加熱調理器のカバーを外した状態の外観斜視図である。
【図３】本発明の実施の形態１に係る加熱調理器の後部枠体を上方から見た部分上面図である。
【図４】本発明の実施の形態１に係る加熱調理器の後部枠体を斜め上方から見た部分斜視図である。
【図５】（ａ）本発明の実施の形態１に係る加熱調理器のカバー単体を表面（取付時の上面）側からみた斜視図、（ｂ）本発明の実施の形態１に係る加熱調理器のカバー単体を裏面（取付時の下面）側からみた斜視図である。
【図６】本発明の実施の形態１に係る加熱調理器の内部構成と風路を表す概略断面図である。
【図７】図１に示す切断線Ａ−Ａで切断した加熱調理器の側面方向から見た断面図である。
【図８】図７に示す枠線Ｂで囲まれた箇所を拡大した要部拡大図である。
【図９】（ａ）本発明の実施の形態１に係る加熱調理器のトッププレートと開口部との間で、第２の面から上方へ突出する突起状部材を示す要部拡大図、（ｂ）本発明の実施の形態１に係る加熱調理器のトッププレートと開口部との間で、第１の面から上方へ突出する突起状部材を示す要部拡大図である。
【図１０】（ａ）本発明の実施の形態１に係る加熱調理器の第２の面に配置される突起状部材の一例を示す上方から見た部分上面図、（ｂ）本発明の実施の形態１に係る加熱調理器の第１の面に配置される突起状部材の一例を示す上方から見た部分上面図である。
【図１１】本発明の実施の形態１に係る加熱調理器の開口部の外周を囲むように配置される突起状部材の一例を示す上方から見た部分上面図である。
【図１２】本発明の実施の形態２に係る加熱調理器の天板部の外観斜視図である。
【図１３】（ａ）本発明の実施の形態２に係る加熱調理器のカバー単体を表面（取付時の上面）側からみた斜視図、（ｂ）本発明の実施の形態２に係る加熱調理器のカバー単体を裏面（取付時の下面）側からみた斜視図である。
【図１４】（ａ）本発明の実施の形態２に係る加熱調理器のカバーを構成する表面部材の斜視図、（ｂ）本発明の実施の形態２に係る加熱調理器のカバーを構成する保持枠部材の斜視図である。
【図１５】図１２に示す切断線Ｃ−Ｃで切断した天板部の側面方向から見た断面図である。
【図１６】本発明の実施の形態３に係る加熱調理器の後部枠体を斜め上方から見た部分斜視図である。
【発明を実施するための形態】
【００１２】
実施の形態１
（加熱調理器の構成）
以下図１から図１１により、本発明の実施の形態１に係る加熱調理器の構成について説明する。ここで説明する加熱調理器は、キッチンカウンターに収容されて使用されるビルトイン式の加熱調理器を一例として挙げている。
【００１３】
図１は本発明の実施の形態１に係る加熱調理器の外観斜視図、図２は本発明の実施の形態１に係る加熱調理器のカバーを外した状態の外観斜視図、図３は本発明の実施の形態１に係る加熱調理器の後部枠体を上方から見た部分上面図、図４は本発明の実施の形態１に係る加熱調理器の後部枠体を斜め上方から見た部分斜視図、図５（ａ）は本発明の実施の形態１に係る加熱調理器のカバー単体を表面（取付時の上面）側からみた斜視図、図５（ｂ）は本発明の実施の形態１に係る加熱調理器のカバー単体を裏面（取付時の下面）側からみた斜視図、図６は本発明の実施の形態１に係る加熱調理器の内部構成と風路を表す概略断面図、図７は図１に示す切断線Ａ−Ａで切断した加熱調理器の側面方向から見た断面図、図８は図７に示す枠線Ｂで囲まれた箇所を拡大した要部拡大図、図９（ａ）は本発明の実施の形態１に係る加熱調理器のトッププレートと開口部との間で、第２の面から上方へ突出する突起状部材を示す要部拡大図、図９（ｂ）は本発明の実施の形態１に係る加熱調理器のトッププレートと開口部との間で、第１の面から上方へ突出する突起状部材を示す要部拡大図、図１０（ａ）は本発明の実施の形態１に係る加熱調理器の第２の面に配置される突起状部材の一例を示す上方から見た部分上面図、図１０（ｂ）は本発明の実施の形態１に係る加熱調理器の第１の面に配置される突起状部材の一例を示す上方から見た部分上面図、図１１は本発明の実施の形態１に係る加熱調理器の開口部の外周を囲むように配置される突起状部材の一例を示す上方から見た部分上面図である。
なお、それぞれの図において、同じ部分または相当する部分には同じ符号を付し、重複する部分の説明を簡略化あるいは省略することがある。
【００１４】
（加熱調理器の全体構成）
図１に示すように、加熱調理器１００は、箱状の本体１の上部に天板部２が設けられている。本体１は上面が開口しており、その内部には後述する加熱手段２１、回路基板２２、送風手段２３等が設けられており、上面の開口を天板部２が覆うようになっている。
【００１５】
本体の前側には、固定されている前面パネル５と、後述する収納庫１０を開閉する収納庫扉６が設けられている。収納庫１０は天板部２の下方に設けられ、図示しない鍋やグリルパン等の調理容器、おたまや軽量カップ等の調理器具、塩や砂糖等の調味料等を収納する収納庫で、収納庫扉６の開閉に連動して収納庫１０から引き出される収納庫トレイ１１を備えている。
【００１６】
なお、本発明の実施の形態の加熱調理器は収納庫が設けられているものを一例として挙げているが、これに限定されるものではない。収納庫の代わりにグリル調理等を行うための調理庫が設けられているものであってもよい。
【００１７】
収納庫扉６の扉手掛け部６ａに手を掛けて収納庫扉６を開閉すると、収納庫トレイ１１上に載置された図示しない調理容器等が収納庫扉６の開閉に連動し収納庫１０から出し入れ可能になる（図７参照）。
【００１８】
図２に示すように、天板部２は、トッププレート３と、トッププレート３の外周を囲むように設けられた後部枠体４ａ、前部枠体４ｂ、左側部枠体４ｃ、右側部枠体４ｄから成る枠体４で構成されている。
【００１９】
トッププレート３は、例えば結晶化ガラス、ホウケイ酸ガラス、強化ガラス等の金属以外の非磁性の材料で形成されている。トッププレート３の下方には加熱手段２１が設けられている（図６、７参照）。加熱手段２１は、コイルに電流を流し調理容器等の被加熱物を誘導加熱する方式のものをその一例としている。
【００２０】
トッププレート３の、調理容器等の被加熱物を載置する被加熱物載置面３ｃ（図８参照）には、その上に調理容器等の被加熱物を置くときに、加熱手段２１の位置に正しく置けるように加熱手段２１の位置と範囲を示す左加熱口表示３ａ、右加熱口表示３ｂが設けられている。
【００２１】
なお、本発明の実施の形態１では、加熱口を左右２つ、言い換えると加熱手段２１を２つ備えた加熱調理器を一例として説明しているが、これに限定されるものではなく、加熱手段を３つ以上備えてもよい。また、加熱手段を誘導加熱方式のものとして説明しているが、これに限定されるものではなく、誘導加熱方式と輻射加熱方式を組み合わせて用いるようにしてもよい。
【００２２】
枠体４は前述のように、トッププレート３の外周を囲むように、トッププレート３の後側に後部枠体４ａ、前側に前部枠体４ｂ、左側に左側部枠体４ｃ、右側に右側部枠体４ｄが設けられている。枠体４は、後部枠体４ａ、前部枠体４ｂ、左側部枠体４ｃ、右側部枠体４ｄとして部位毎に説明しているが、本発明の実施の形態１では、枠体４として４つの部位が一体で形成されているものをその一例としている。
【００２３】
しかし、一体で形成されることが必須条件ではないので、後部枠体４ａ、前部枠体４ｂ、左側部枠体４ｃ、右側部枠体４ｄがそれぞれ個別に形成されていても、後部枠体４ａと左側部枠体４ｃと右側部枠体４ｄが、あるいは前部枠体４ｂと左側部枠体４ｃと右側部枠体４ｄがＵ字（コの字）状に一体に形成されていてもよい。
【００２４】
なお、ここでいう前側、後側、左側、右側は図１に示す方向であり、加熱調理器に対し使用者から見たときの方向を示している。
また、トッププレート３は左右方向の長さが、前後方向の長さより長いので、左右方向を長手方向、前後方向を短手方向として説明をする場合がある。
【００２５】
枠体４は非磁性の金属材、例えばオーステナイト系のステンレス等で、中央部を打ち抜いて設けられた開口を有して形成されている。その開口を塞ぐように、例えばシリコーンのようなシール材でトッププレート３と接着されて天板部２が構成される。
【００２６】
枠体４の前部枠体４ｂには、加熱調理のモードや温度設定、加熱実行等の操作のためのスイッチ等が設けられている。枠体４の後部枠体４ａ上にはカバー７が設けられている。カバー７は、例えば金属のアルミ材を引き抜き加工して形成された左側開口部カバー７ａ、右側開口部カバー７ｂで構成される。左側開口部カバー７ａと右側開口部カバー７ｂは基本的に同じ形状をしているので、ここでは左側開口部カバー７ａについて詳しく説明し、右側開口部カバー７ｂについては左側開口部カバー７ａと同等であるため省略する。
【００２７】
図５（ａ）、（ｂ）に示すように左側開口部カバー７ａは、短手方向に緩やかに湾曲した庇状部７ａａを有している。庇状部７ａａには通気用の穴が設けられておらず、配置したときに表側となる側に凹凸等の形状がなく表面が滑らかになっている。
【００２８】
また、後部枠体４ａ上に配置したときに裏側となる面の、配置したときに前側となる側に前側リブ７ａｂ、後側となる側に後側リブ７ａｃが設けられている。前側リブ７ａｂは連続して設けられているが、後側リブ７ａｃは長手方向の端部寄りに小さく独立して設けられている。後側リブ７ａｃは長手方向の端部寄りに小さく独立して設けられている理由は後段で説明する。
【００２９】
後部枠体４ａの左側開口部カバー７ａ、右側開口部カバー７ｂに覆われた箇所には、本体１内で電気部品等、詳しくは後述する加熱手段２１及び回路基板２２を冷却した風を排気する開口部８が設けられている（図２、３参照）。
【００３０】
開口部８を詳しく説明すると、図２、３に示すように枠体４の後部枠体４ａには、左側に左第１開口部８ａａと左第２開口部８ａｂから成る左開口部８ａが設けられ、右側に右開口部８ｂが設けられている。
【００３１】
ここでは左第２開口部８ａｂは複数のスリット状開口の一群を１つの開口部としている。同様に右開口部８ｂも複数のスリット状開口の一群を１つの開口部としている。しかし、複数のスリット状開口の一群を１つの開口部とすることが必須条件ではないので、左第２開口部８ａｂ及び右開口部８ｂを、左第１開口部８ａａのように１つの大きな開口として形成してもよい。
【００３２】
開口部８の役割について、図６を用いて説明すると、加熱調理器１００は、キッチンカウンター２００に収容されて使用される。加熱調理器１００の本体１内には、トッププレート３の下方に加熱手段２１が設けられている。前述のように加熱手段２１は、コイルに電流を流し調理容器等の被加熱物を誘導加熱する方式のものである。
【００３３】
前面パネル５が取り付けられている後方の本体１内には、電気部品等を収容する電気部品室１ａが設けられている。電気部品室１ａは収納庫１０と併設されている。電気部品室１ａには加熱手段２１に電流を供給するインバーターの回路基板２２が設けられている。
【００３４】
加熱手段２１及び回路基板２２は被加熱物を加熱するときに相当量の熱を発生する。この発熱はそのままにしておくと加熱手段２１及び回路基板２２にダメージを与えるため、これら発熱する加熱手段２１及び回路基板２２を冷却するための風を送風する送風手段２３も設けられている。
【００３５】
本体１の後側の面には冷却するための風を吸気する吸気穴１ｂが設けられている。送風手段２３は吸気穴１ｂを通して吸気した風を回路基板２２及び加熱手段２１に送風し冷却する。冷却に供された風は本体後方の上部に送られ、枠体４の後部枠体４ａに設けられた開口部８から外部へ排気される。
【００３６】
収納庫１０に調味料等を収納する場合、収納庫１０内の温度が高くなって調味料等が変質してしまうことがないよう、特に図示していないが収納庫１０についても送風手段２３が発生させる風を、電源基板２２及び加熱手段２１を冷却する風とは別に庫外側に流し、収納庫１０内の温度上昇を防ぐようにしている。
【００３７】
なお、収納庫１０については庫外側に冷却のための風を流すものを一例として挙げているが、これに限定されるものではない。図示していないが収納庫１０に吸気用の開口、排気用の開口をそれぞれ設け、その排気用の開口を送風手段２３の吸気側と通気可能に設けておけば、送風手段２３が稼働すると、収納庫１０の吸気用の開口から吸気された風が収納庫１０を通過し、排気用の開口から送風手段２３を経由して回路基板２２及び加熱手段２１を冷却する風が送風される。これにより収納庫１０内に直接風を通過させ、収納庫１０内の温度上昇を防ぐようにしてもよい。
【００３８】
（開口部８とカバー７）
開口部８とカバー７の関係について、図３、４、８で詳しく説明する。図８は図７に示す枠線Ｂで囲まれた箇所を拡大した要部拡大図で、図７は図１に示す切断線Ａ−Ａで切断した加熱調理器の側面方向から見た断面図である。
【００３９】
なお、図８による説明は図示されている箇所から左開口部８ａと左側開口部カバー７ａについての説明となるが、基本的に左開口部８ａと左側開口部カバー７ａとの構成と、右開口部８ｂと右側開口部カバー７ｂとの構成は同等であるため、右開口部８ｂと右側開口部カバー７ｂについては一部説明を省略する。
【００４０】
図８に示すように、枠体４の後部枠体４ａはトッププレート３の被加熱物載置面３ｃと、例えばシリコーンのようなシール材で隙間なく接着されている。これにより、被加熱物載置面３ｃ上にこぼれたりした液状物が枠体４とトッププレート３との隙間から本体内に浸入することを防止している。
【００４１】
後部枠体４ａは上下方向でトッププレート３の被加熱物載置面３ｃよりも高い位置となる第１の面４ａａと４ａｂを有する。さらに、トッププレート３の被加熱物載置面３ｃよりも低い位置となる第２の面４ａｃを有する。第２の面４ａｃの前方に設けられた第１の面が後部枠体第２の面前方の第１の面４ａａで、第２の面４ａｃの後方に設けられた第１の面が後部枠体第２の面後方の第１の面４ａｂである。
【００４２】
つまり、前側からトッププレート３の被加熱物載置面３ｃ、後部枠体第２の面前方の第１の面４ａａ、第２の面４ａｃ、後部枠体第２の面後方の第１の面４ａｂという配置になっている。後部枠体第２の面前方の第１の面４ａａと第２の面４ａｃは傾斜部４ａｄで接続されている。第２の面４ａｃと後部枠体第２の面後方の第１の面４ａｂは傾斜部４ａｅで接続されている。
【００４３】
第２の面４ａｃに開口部８が設けられている。また、第２の面４ａｃに左側開口部カバー７ａ、右側開口部カバー７ｂの支持体９が設けられている。支持体９は図３に示すように中央部支持体９ａ、左端部支持体９ｂ、右端部支持体９ｃから成り、中央部支持体９ａは後部枠体４ａの中央、左端部支持体９ｂは後部枠体４ａの左端部寄り、右端部支持体９ｃは後部枠体４ａの右端部寄りにそれぞれ設けられている。
【００４４】
左側開口部カバー７ａは中央部支持体９ａと左端部支持体９ｂ、右側開口部カバー７ｂは中央部支持体９ａと右端部支持体９ｃでそれぞれ着脱可能に支持される。
なお、中央部支持体９ａは左側開口部カバー７ａ、右側開口部カバー７ｂの両方を支持するように構成したが、個別に支持する構成であってもよい。
【００４５】
左端部支持体９ｂは後部枠体４ａの短手方向に延びて形成されている壁部９ｂａを有する。同様に右端部支持体９ｃは後部枠体４ａの短手方向に延びて形成されている壁部９ｃａを有する。
【００４６】
また、図４に示すように左端部支持体９ｂは、壁部９ｂａから後部枠体４ａの長手方向に延びる左端部支持体受け部９ｂｂ、９ｂｃ、９ｂｄ、９ｂｅを有する。同様に右端部支持体９ｃは、壁部９ｃａから後部枠体４ａの長手方向に延びる右端部支持体受け部９ｃｂ、９ｃｃ、９ｃｄ、９ｃｅを有する。
【００４７】
前述のように左側開口部カバー７は、短手方向に緩やかに湾曲した庇状部７ａａを有しており、左端部支持体受け部９ｂｂ、９ｂｃ、９ｂｄ、９ｂｅは図８に示すように、庇状部７ａａをそれぞれ受けて支持している。
【００４８】
左側開口部カバー７ａは、左端部支持体９ｂの左端部支持体受け部９ｂｂと後側リブ７ａｃで、左端部支持体９ｂの左端部支持体受け部９ｂｅと前側リブ７ａｂで位置決めされている。
【００４９】
左側開口部カバー７ａは、前端部７ａｄが、後部枠体第２の面前方の第１の面４ａａの上方で、後部枠体第２の面前方の第１の面４ａａに近接した位置に配置されている。この位置から庇状部７ａａは後方かつ上方に緩やかに湾曲して、後端部７ａｅが後部枠体第２の面後方の第１の面４ａｂと重ならない位置まで延びている。
【００５０】
前述のように庇状部７ａａには通気用の穴が設けられていないので、左開口部８ａから排気された風は庇状部７ａａと第２の面４ａｃの間の空間に排出される。前端部７ａｄ側は前側リブ７ａｂがあるため風が通らない。よって風は後端部７ａｅ側へ流れる。庇状部７ａａは後方かつ上方に緩やかに湾曲してので、スムーズに風が後端部７ａｅ側へ流れることになる。
【００５１】
後端部７ａｅよりに設けられた後側リブ７ａｃは、長手方向の端部寄りに小さく独立して設けられている（図５（ｂ）参照）ので、後側リブ７ａｃ以外の箇所は、後端部７ａｅ側へ流れる風の流れを遮ることがない。
【００５２】
左開口部８ａはトッププレート３の被加熱物載置面３ｃ、後部枠体第２の面前方の第１の面４ａａ及び後部枠体第２の面後方の第１の面４ａｂよりも低い位置に設けられているので、意匠性を考慮し左側開口部カバー７ａの天板部２からの突出量を抑えても庇状部７ａａと第２の面４ａｃの間の空間が確保でき、排気性能が確保できる。
【００５３】
庇状部７ａａは後方かつ上方に緩やかに湾曲して、後端部７ａｅが後部枠体第２の面後方の第１の面４ａｂと重ならない位置まで延びている。つまり、後部枠体第２の面後方の第１の面４ａｂと重なる位置まで後端部７ａｅが延びていないということであり、これにより庇状部７ａａと第２の面４ａｃの間の空間から排気が外部に排出される解放端部Ｋに向けて風の通路が狭くならない。よって、排気性能が確保できる。
【００５４】
カバー７ａの庇状部７ａａは通気用の穴が設けられておらず、全ての風は解放端部Ｋから排出される。そのため、調理容器等をカバー７ａ上に置かれることがあっても、排気の風路には一切悪影響を及ぼすことがない。
【００５５】
カバー７ａの庇状部７ａａは後方かつ上方に緩やかに湾曲していて、通気用の穴が設けられておらず、配置したときに表側となる側に凹凸等の形状がなく表面が滑らかになっているので、使用者側から見たときに、カバーの存在感が強調されず天板部との調和が図りやすいので、加熱調理器の意匠性を損なうことがない。
【００５６】
左端部支持体９ｂは後部枠体４ａの短手方向に延びて形成されている壁部９ｂａを有しているので、左開口部８ａから庇状部７ａａと第２の面４ａｃの間の空間に放出された風は壁部９ｂａによって遮られ左右の端部方向に流れることがない。よって、風の流れが乱れずに後方に排出できる。
【００５７】
左開口部８ａの前側には図９（ａ）、図１０（ａ）に示すように突起状部材３１が第２の面４ａｃから上方に向けて突出するように設けられている。突起状部材３１は左開口部８ａの長手方向の長さよりも長く設けられている。前述のように左開口部８ａは左第１開口部８ａａと左第２開口部８ａｂからなっており、ここでいう左開口部８ａの長手方向の長さとは、左第１開口部８ａａの左側の端部から左第２開口部８ａｂの右側の端部までの長さである。
【００５８】
突起状部材３１を左開口部８ａの前側の第２の面４ａｃ上に、左開口部８ａの長手方向の長さよりも長く設けることで、調理しているときに吹き零れ等で被加熱物載置面３ｃ上に液状物がこぼれたとしても、左開口部８ａの手前で左開口部８ａから本体１内に流れこむことを抑制でき、本体１内の部品へ影響を及ぼしにくい。
【００５９】
図９（ｂ）、図１０（ｂ）は突起状部材を設ける他の例を示す。図９（ｂ）、図１０（ｂ）に示すように、突起状部材３１は左側開口部カバー７の前端部７ａｄの前側で、後部枠体第２の面前方の第１の面４ａａから上方に向けて突出するように設けられている。突起状部材３１は第２の面４ａｃ上に設けられているときと同様に、左開口部８ａの長手方向の長さよりも長く設けられている。
【００６０】
突起状部材３１を左側開口部カバー７ａの前端部７ａｄの前側で、後部枠体第２の面前方の第１の面４ａａ上に、左開口部８ａの長手方向の長さよりも長く設けることで、調理しているときに吹き零れ等で被加熱物載置面３ｃ上に液状物がこぼれたとしても、左開口部８ａの手前で左開口部８ａから本体１内に流れこむことを抑制でき、本体１内の部品へ影響を及ぼしにくい。
【００６１】
図１１は突起状部材を設ける他の例を示す。図１１に示すように、左開口部８ａの外周を囲むように突起状部材３２が第２の面４ａｃ上に設けられている。図示しないが、突起状部材３２は第２の面４ａｃから上方に向けて突出するように設けられている。
【００６２】
前述のように左開口部８ａは左第１開口部８ａａと左第２開口部８ａｂからなっており、ここでいう左開口部８ａの外周とは、左第１開口部８ａａと左第２開口部８ａｂの両方の外周のことである。
【００６３】
突起状部材３２を第２の面４ａｃ上に左開口部８ａの外周を囲むように設けることで、調理しているときに吹き零れ等で被加熱物載置面３ｃ上に液状物がこぼれたとしても、左開口部８ａの手前で左開口部８ａから本体１内に流れこむことを抑制でき、本体１内の部品へ影響を及ぼしにくい。
【００６４】
なお、ここまで左開口部８ａと左側開口部カバー７ａとの構成で説明をしてきたが、右開口部８ｂと右側開口部カバー７ｂとの構成は同等であるため、得られる効果も同等である。
【００６５】
実施の形態２
本発明の実施の形態２に係る加熱調理器は、本発明の実施の形態１に係る加熱調理器とカバーの形態が異なる。その他の構成は本発明の実施の形態１に係る加熱調理器と同様の構成である。よって、ここでは本発明の実施の形態１に係る加熱調理器と異なるカバーの形態について図１２から１５を用いて説明し、それ以外の説明は省略する。
【００６６】
図１２は本発明の実施の形態２に係る加熱調理器の天板部の外観斜視図、図１３（ａ）は本発明の実施の形態２に係る加熱調理器のカバー単体を表面（取付時の上面）側からみた斜視図、図１３（ｂ）は本発明の実施の形態２に係る加熱調理器のカバー単体を裏面（取付時の下面）側からみた斜視図、図１４（ａ）は本発明の実施の形態２に係る加熱調理器のカバーを構成する表面部材の斜視図、図１４（ｂ）は本発明の実施の形態２に係る加熱調理器のカバーを構成する保持枠部材の斜視図、図１５は図１２に示す切断線Ｃ−Ｃで切断した天板部の側面方向から見た断面図である。
【００６７】
図１２に示すように、枠体４の後部枠体４ａ上にはカバー４１が設けられている。カバー４１は、左側開口部カバー４１ａ、右側開口部カバー４１ｂで構成される。左側開口部カバー４１ａと右側開口部カバー４１ｂは基本的に同じ形状をしているので、ここでは左側開口部カバー４１ａについて詳しく説明し、右側開口部カバー４１ｂについては左側開口部カバー４１ａと同等であるため省略する。
【００６８】
図１３、図１４に示すように左側開口部カバー４１ａは、金属で形成された表面板４１ａａとゴムあるいは樹脂で形成された保持部材４１ａｂから成る。保持部材４１ａｂは中央部付近に表面板４１ａａを支える梁部４１ａｃが設けられている。保持部材４１ａｂの左右方向の両端部には補強リブ４１ａｅ、４１ａｆが、梁部４１ａｃには補強リブ４１ａｄがそれぞれ設けられている。
【００６９】
図１５に示すように表面板４１ａａは、短手方向に緩やかに湾曲している。表面板４１ａａには通気用の穴が設けられておらず、配置したときに表側となる側に凹凸等の形状がなく表面が滑らかになっている。
【００７０】
表面板４１ａａの外周全周に折り曲げ部４１ａｇが設けられている。折り曲げ部４１ａｇは図１５に示すように保持部材４１ａｂに設けられた溝部４１ａｋに挿入されて接着、あるいは圧入されて固定される。
【００７１】
左側開口部カバー４１ａは、前端部４１ａｈが、後部枠体第２の面前方の第１の面４ａａの上方で、後部枠体第２の面前方の第１の面４ａａに近接した位置に配置されている。この位置から表面板４１ａａは後方かつ上方に緩やかに湾曲して、後端部４１ａｊが後部枠体第２の面後方の第１の面４ａｂと重ならない位置まで延びている。
【００７２】
表面板４１ａａには通気用の穴が設けられていないので、左開口部８ａから排気された風は表面板４１ａａと第２の面４ａｃの間の空間に排出される。前端部４１ａｈ側は、前端部４１ａｈが後部枠体第２の面前方の第１の面４ａａに近接しているのでほとんど風が通らない。よって風は後端部４１ａｊ側へ流れる。表面板４１ａａは後方かつ上方に緩やかに湾曲しているので、スムーズに風が後端部４１ａｊ側へ流れることになる。
【００７３】
左開口部８ａはトッププレート３の被加熱物載置面３ｃ、後部枠体第２の面前方の第１の面４ａａ及び後部枠体第２の面後方の第１の面４ａｂよりも低い位置に設けられているので、意匠性を考慮し左側開口部カバー４１ａの天板部２からの突出量を抑えても表面板４１ａａと第２の面４ａｃの間の空間が確保でき、実施の形態１同様、排気性能が確保できる。
【００７４】
表面板４１ａａは後方かつ上方に緩やかに湾曲して、後端部４１ａｊが後部枠体第２の面後方の第１の面４ａｂと重ならない位置まで延びている。つまり、後部枠体第２の面後方の第１の面４ａｂと重なる位置まで後端部４１ａｊが延びていないということであり、これにより表面板４１ａａと第２の面４ａｃの間の空間から排気が外部に排出される解放端部Ｋに向けて風の通路が狭くならない。よって、実施の形態１同様、排気性能が確保できる。
【００７５】
左側開口部カバー４１ａの表面板４１ａａは通気用の穴が設けられておらず、全ての風は解放端部Ｋから排出される。そのため、調理容器等を左側開口部カバー４１ａ上に置かれることがあっても、排気の風路には一切悪影響を及ぼすことがない。
【００７６】
左側開口部カバー４１ａの表面板４１ａａは後方かつ上方に緩やかに湾曲していて、通気用の穴が設けられておらず、配置したときに表側となる側に凹凸等の形状がなく表面が滑らかになっているので、使用者側から見たときに、カバーの存在感が強調されず天板部との調和が図りやすいので、加熱調理器の意匠性を損なうことがない。
【００７７】
なお、ここまで左開口部８ａと左側開口部カバー４１ａとの構成で説明をしてきたが、右開口部８ｂと右側開口部カバー４１ｂとの構成は同等であるため、得られる効果も同等である。
【００７８】
実施の形態３
本発明の実施の形態３に係る加熱調理器は、本発明の実施の形態１に係る加熱調理器と支持体の形態が異なる。その他の構成は本発明の実施の形態１に係る加熱調理器と同様の構成である。よって、ここでは本発明の実施の形態１に係る加熱調理器と異なる支持体の形態について図１６を用いて説明し、それ以外の説明は省略する。
【００７９】
図１６は本発明の実施の形態３に係る加熱調理器の後部枠体を斜め上方から見た部分斜視図である。図１６に示すように、第２の面４ａｃに左側開口部カバー７ａの支持体５１ａ、５１ｂが設けられている。支持体５１ａは中央部支持体で後部枠体４ａの中央に、支持体５１ｂは左端部支持体で後部枠体４ａの左端部寄りに設けられている。図示しないが、後部枠体４ａの右端部寄りに右端部支持体も設けられている。
【００８０】
図１６に示すように左端部支持体５１ｂは、後部枠体４ａの左端部寄りから中央方向に延びる左端部支持体受け部５１ｂａ、５１ｂｂ、５１ｂｃ、５１ｂｄを有する。図示しないが同様に右端部支持体も、後部枠体４ａの右端部寄りから中央方向に延びる右端部支持体受け部を有する。
【００８１】
本発明の実施の形態１同様、左側開口部カバー７は、短手方向に緩やかに湾曲した庇状部７ａａを有しており、左端部支持体受け部５１ｂａ、５１ｂｂ、５１ｂｃ、５１ｂｄは庇状部７ａａをそれぞれ受けて支持している。
【００８２】
中央部支持体５１ａには仕切り板５１ａａが設けられている。仕切り板５１ａａは後部枠体４ａの左側に設けられた左開口部８ａと、右側に設けられた右開口部８ｂとの間の空間を仕切るものである。
【００８３】
加熱調理のときに左開口部８ａと右開口部８ｂから排気される風の強さは同じではないことが多い。左開口部８ａと右開口部８ｂの排気のバランスが悪いと、何れか弱い方の排気が、強い方の排気の影響を受けて、排気が乱れる可能性がある。そのため、仕切り板５１ａａを設けることで、左開口部８ａと右開口部８ｂの排気のバランスが悪くても、排気を安定させることができる。
【００８４】
但し、左開口部８ａと、右側に設けられた右開口部８ｂとの間の空間を仕切ることで排気の効率が悪くなる可能性もあるので、左端部支持体５１ｂには、本発明の実施の形態１の左端部支持体９ｂのような後部枠体４ａの短手方向に延びて形成されている壁部を設けず、そこから端部方向に排気できるようにして排気の効率低下を抑制している。
【００８５】
なお、本発明の実施の形態１〜３の加熱調理器ではカバーを２つ設けたが、これに限定されるものではなく、大きい１つのカバーとしてもよく、適宜選択できる。
【００８６】
また、本発明の実施の形態１〜３の加熱調理器では、後部枠体４ａに本体内の電気部品を冷却した風を排気するための排気口としての開口部を設けたが、風を吸気するための吸気口としての開口部を併設してもよい。
【００８７】
但し、右開口部を吸気口、左開口部を排気口としたときに、排気される風は本体内の加熱手段や電源基板を冷却しているため温度が高くなっていて冷却に使用するには不向きな状態となっており、カバーで覆った形態で、排気口としての左開口部と吸気口としての右開口部を併設すると、左開口部で排気した風をすぐ横に設けられている右開口部で吸気してしまうような、いわゆるショートカットといった現象が発生し、加熱手段や電源基板を温度の高くなった風で冷却することになって加熱調理器の性能低下や寿命が短くなるなど悪影響を及ぼす可能性がある。
【００８８】
このとき、本発明の実施の形態３に係る加熱調理器の仕切り板を用いれば、カバーに覆われた排気の空間と吸気の空間を仕切ることができるので、吸排気のショートカットを防止することができ、加熱調理器の性能低下や寿命が短くなるということを防止できる。
【符号の説明】
【００８９】
１  本体、２  天板部、３  トッププレート、３ａ  左加熱口表示、３ｂ  右加熱口表示、３ｃ  被加熱物載置面、４  枠体、４ａ  後部枠体、４ａａ  後部枠体第２の面前方の第１の面、４ａｂ  後部枠体第２の面後方の第１の面、４ａｃ  後部枠体第２の面、４ａｄ  傾斜部、４ａｅ  傾斜部、４ｂ  前部枠体、４ｃ  左側部枠体、４ｄ  右側部枠体、５  前面パネル、６  収納庫扉、６ａ  扉手掛け部、７  カバー、７ａ  左側開口部カバー、７ａａ  庇状部、７ａｂ  前側リブ、７ａｃ  後側リブ、７ａｄ  前端部、７ａｅ  後端部、７ｂ  右側開口部カバー、８  開口部、８ａ  左開口部、８ａａ  左第１開口部、８ａｂ  左第２開口部、８ｂ  右開口部、９  支持体、９ａ  中央部支持体、９ｂ  左端部支持体、９ｂａ  壁部、９ｂｂ  左端部支持体受け部、９ｂｃ  左端部支持体受け部、９ｂｄ  左端部支持体受け部、９ｂｅ  左端部支持体受け部、９ｃ  右端部支持体、９ｃａ  壁部、９ｃｂ  右端部支持体受け部、９ｃｃ  右端部支持体受け部、９ｃｄ  右端部支持体受け部、９ｃｅ  右端部支持体受け部、１０  収納庫、１１  収納庫トレイ、２１  加熱手段、２２  回路基板、２３  送風手段、３１  突起状部材、３２  突起状部材、４１  カバー、４１ａ  左側開口部カバー、４１ａａ  表面板、４１ａｂ  保持部材、４１ａｃ  梁部、４１ａｄ  補強リブ、４１ａｅ  補強リブ、４１ａｆ  補強リブ、４１ａｇ  折り曲げ部、４１ａｈ  前端部、４１ａｊ  後端部、４１ａｋ  溝部、４１ｂ  右側開口部カバー、５１ａ  中央部支持体、５１ａａ  仕切り板、５１ｂ  左端部支持体、５１ｂａ  左端部支持体受け部、５１ｂｂ  左端部支持体受け部、５１ｂｃ  左端部支持体受け部、５１ｂｄ  左端部支持体受け部、１００  加熱調理器、２００  キッチンカウンター。
【図１】
2018018692.tif 000003
【図２】
2018018692.tif 000004
【図３】
2018018692.tif 000005
【図４】
2018018692.tif 000006
【図５】
2018018692.tif 000007
【図６】
2018018692.tif 000008
【図７】
2018018692.tif 000009
【図８】
2018018692.tif 000010
【図９】
2018018692.tif 000011
【図１０】
2018018692.tif 000012
【図１１】
2018018692.tif 000013
【図１２】
2018018692.tif 000014
【図１３】
2018018692.tif 000015
【図１４】
2018018692.tif 000016
【図１５】
2018018692.tif 000017
【図１６】
2018018692.tif 000018